(57)【要約】      （修正有）【課題】発電部品の駆動によって電力を生じることができる、水力発電装置を提供する。【解決手段】水Ａを入れるための水槽２が設けられ、水槽には発電部品４が枢設される。発電部品には放射状に重り体１４が等径分布され、重り体外部に一定方向に凹設された受水槽１５及び受水槽に開設された槽口１５１が等径分布される。受水槽側面には円形の阻水板１５ａが設けられる。阻水板外縁と槽口辺縁は、等径に設けられると共に、外側に阻水パット１５ｂが設けられる。水槽の一側面における円弧には、阻水パットに貼接する阻水フレーム２ａが設けられると共に、阻水フレームは回転体１３の一側面に上方から下縁までを包むように貼接する。さらに、水槽には取水ユニット５が設けられ、取水ユニットは水中に設けられた吸水部品５１を有する。取水ユニットは、回転体上方から水を受水槽に入れることで、回転体と変速部品３と発電部品とを駆動させる。【選択図】図２
0003188431.tif 000002
【実用新案登録請求の範囲】
【請求項１】
少なくとも水槽と、心軸と、変速部品と、発電部品と、回転体と、取水ユニットとからなる、水力発電装置であって、
前記水槽は、水を入れるために用いられるとともに、前記心軸が枢設され、
前記心軸は、水槽外部に回転可能に接続された前記変速部品に伝動するとともに、変速部品によって回転可能に接続された前記発電部品に少なくとも伝動し、且つ心軸には放射状に前記回転体が固定され、
前記回転体は、周囲に重り体が等径に分布されるとともに、前記重り体外部には、一定方向に凹設された受水槽が等径分布され、
前記受水槽には、槽口が開設されるとともに、前記槽口が前記回転体外部に一定方向に設けられ、
前記受水槽側面にはさらに円形の阻水板が設けられ、
前記阻水板外縁と前記槽口辺縁は、等径に設けられるとともに、阻水板外縁と槽口辺縁の外側にはさらに阻水パットが設けられ、
さらに、前記水槽の一側面における円弧には、前記阻水パットに貼接する阻水フレームが設けられ、
前記阻水フレームは、前記回転体の一側面に上方から下縁までを包むように貼接し、
前記取水ユニットは、前記水槽に設けられるとともに、水中に設けられた吸水部品を有し、
以上の構造によって、
前記吸水部品が出水口まで水を引き上げるとともに、前記出水口を通して回転体上方から水が受水槽に入れられることにより、回転体と変速部品と発電部品とが駆動することを特徴とする、水力発電装置。
【請求項２】
さらに前記水槽は、右側の円弧に、阻水パットに貼接する阻水フレームが設けられ、
前記阻水フレームは、回転体右側における上方から右方向に１５度から３０度の間の位置を始点とし、回転体下縁までを包むように貼接して、左側の３０度から６０度の間の位置まで延伸し、
前記重り体内には、さらに重り収容室と、前記重り収容室に液体を入れて充填するための管体スイッチとが設けられることを特徴とする、請求項１に記載の水力発電装置。
【請求項３】
前記心軸両端には、それぞれ前記変速部品が設けられ、
前記変速部品は、前記発電部品に伝動し、
前記水力発電装置周辺には、さらに貯水装置と、外部電源とが設けられ、
前記貯水装置下方には、排水口と、前記排水口の開閉を制御する排水弁体とが設けられ、
前記排水口は、前記回転体と前記変速部品と前記発電部品とを駆動させるように前記受水槽の位置と対応し、
前記貯水装置には、さらに排水弁体と発電部品と取水ユニットと接続された制御装置が設けられ、
前記制御装置は、発電部品から生じた電力が取水ユニットへの供給に足りる時、排水弁体を駆動させて排水口を閉止させ、
前記外部電源は、電力を提供して起動させるために取水ユニットと接続され、
前記取水ユニットには、回転体上方から水を受水槽に入れて回転体と変速部品と発電部品とを駆動させるための出水口が設けられるとともに、前記取水ユニットは発電部品から生じた電力が供給されることによって作動し、
さらに前記発電部品は、外部に蓄電合流部品が接続されるとともに、前記蓄電合流部品によって前記取水ユニット及び前記電力駆動部品と接続されることを特徴とする、請求項１に記載の水力発電装置。
【考案の詳細な説明】
【技術分野】
【０００１】
本考案は、水力発電装置に関し、特に水力によって発電部品を押し動かして回転させ、発電部品の回転によって電力を生じることができる、水力発電装置に関する。
【背景技術】
【０００２】
まず、図１（従来の発電機を示した概略図）を参照する。図は、一般に室外で使用される発電機１０を示している。発電機１０は、オイルタンク１０１内のオイル２０を内燃機１０２が燃焼させて発電盤１０３を駆動することによって電力を生じる。これにより、発電盤１０３から生じた電力を、屋外或いは屋内に引き入れて臨時の電力供給を行う。
【０００３】
しかし、発電機１０は、内燃機１０２のオイル２０燃焼によって発電の駆動力を得るため、内燃機１０２がオイル２０を使用することによる問題がある。
【０００４】
１．不適切な作動持続による高温及び騒音の問題が生じうるため、内燃機１０２を経常的に停止させてメンテナンス及び検査修繕をしなければならない。よって、内燃機１０２による発電には持続的な不備があり、高額の定期検査修繕費用を支払わなければならないという問題がある。
【０００５】
２．オイル２０の燃焼は必ず排気ガスを生じる。排気ガスは、空気汚染の原因の一つであり、且つ排気ガスの問題のため、発電機１０を室内に入れて使用することができない。
【０００６】
３．現在、オイル２０の費用は日増しに上昇しており、またオイル２０の燃焼によって変換される電力効果には限りがある。よって、発電機１０は、オイル２０のコストによって使用が制限され、市場普及率が低下している。
【考案の概要】
【考案が解決しようとする課題】
【０００７】
上述の問題に鑑み、本考案は、水力によって発電部品を押し動かして回転させ、発電部品の回転によって電力を生じることができる、水力発電装置を提供することを目的とする。
【課題を解決するための手段】
【０００８】
上述の目的を達成するため、本考案の水力発電装置には、少なくとも水を入れるための水槽が設けられ、水槽には心軸が枢設される。心軸は、水槽外部に回転可能に接続された変速部品に伝動するとともに、変速部品によって回転可能に接続された発電部品に少なくとも伝動し、且つ心軸には放射状に回転体が固定される。回転体は、周囲に重り体が等径に分布されるとともに、重り体外部には、一定方向に凹設された受水槽が等径分布される。受水槽には、槽口が開設され、槽口は回転体外部に一定方向に設けられる。また、受水槽側面には円形の阻水板が設けられる。阻水板外縁と槽口辺縁は、等径に設けられるとともに、外側に阻水パットが設けられる。水槽の一側面における円弧には、阻水パットに貼接する阻水フレームが設けられる。阻水フレームは、回転体の一側面に上方から下縁までを包むように貼接する。さらに、水槽には取水ユニットが設けられ、取水ユニットは水中に設けられた吸水部品を有する。取水ユニットは、吸水部品によって出水口まで水を引き上げ、出水口を通して回転体上方から水を受水槽に入れることにより、回転体と変速部品と発電部品とを駆動させる。
【図面の簡単な説明】
【０００９】
【図１】従来の発電機を示した概略図である。
【図２】本考案の水力発電装置の組合せ及び作動を示した概略図である。
【図３】本考案の水力発電装置の組合せを示した側面図である。
【図４】本考案の水力発電装置における発電部品の双方向組合せを示した概略図である。
【図５】本考案の水力発電装置に貯水装置が設けられた様子を示した概略図である。
【考案を実施するための形態】
【００１０】
（実施例１）
図２、３（本考案の水力発電装置の組合せ及び作動を示した概略図、水力発電装置の組合せを示した側面図）を参照する。図は、水力発電装置１を示している。水力発電装置１には、少なくとも水Ａを入れるための水槽２が設けられ、水槽２には心軸１１が枢設される。心軸１１は、水槽２外部に回転可能に接続された変速部品３に伝動するとともに、変速部品３によって回転可能に接続された発電部品４に少なくとも伝動し、且つ心軸１１には放射状に回転体１３が固定される。回転体１３は、周囲に重り体１４が等径に分布されるとともに、回転体１３の重り体１４外部には、一定方向に凹設された受水槽１５が等径分布される。受水槽１５には、槽口１５１が開設され、槽口１５１は回転体１３外部に一定方向に設けられる。また、受水槽１５側面には円形の阻水板１５ａが設けられる。阻水板１５ａ外縁と槽口１５１辺縁は、等径に設けられるとともに、外側に阻水パット１５ｂが設けられる。水槽２の一側面における円弧には、阻水パット１５ｂに貼接する阻水フレーム２ａが設けられる。阻水フレーム２ａは、回転体１３の一側面に上方から下縁までを包むように貼接する。さらに、水槽２には取水ユニット５が設けられ、取水ユニット５は水Ａ中に設けられた吸水部品５１を有する。取水ユニット５は、吸水部品５１によって水Ａを引き上げた後、取水ユニット５に設けられた出水口５２を通して回転体１３上方から水Ａを受水槽１５に入れることにより、回転体１３と変速部品３と発電部品４とを駆動させる。
【００１１】
水槽２の右側における円弧には、阻水パット１５ｂに貼接する阻水フレーム２ａが設けられる。阻水フレーム２ａは、回転体１３右側における上方から右方向に１５度から３０度の間の位置を始点とし、回転体１３下縁までを包むように貼接して、左側の３０度から６０度の間に位置まで延伸する。また、重り体１４内には、さらに重り収容室１４１が設けられる。
【００１２】
（実施例２）（実施例３）
図４、５（本考案の水力発電装置における発電部品の双方向組合せを示した概略図、水力発電装置に貯水装置が設けられた様子を示した概略図）を参照する。心軸１１両端には、それぞれ変速部品３が設けられ、変速部品３は発電部品４に伝動する。また、水力発電装置１周辺には、外部電源６と、貯水装置９とが設けられる。貯水装置９下方には、排水口９１と、排水口９１の開閉を制御する排水弁体９２とが設けられる。排水口９１は、受水槽１５の位置と対応して、回転体１３と変速部品３と発電部品４とを駆動させる。貯水装置９には、さらに排水弁体９２と発電部品４と取水ユニット５と接続された制御装置９３が設けられる。制御装置９３は、発電部品４から生じた電力が取水ユニット５への供給に足りる時、排水弁体９２を駆動させて排水口９１を閉止させる。また、外部電源６は、取水ユニット５と接続されるとともに、電力を提供して取水ユニット５を起動させる。同時に、取水ユニット５は、出水口５２を通して回転体１３上方から水Ａを受水槽１５に入れることにより、回転体１３と変速部品３と発電部品４とを駆動させる。これにより、発電部品４から生じた電力が供給されて取水ユニット５が作動する。加えて、発電部品４は、外部に蓄電合流部品８が接続されるとともに、蓄電合流部品８によって取水ユニット５及び電力駆動部品７と接続される（外部電源６、管体スイッチ１４２、蓄電合流部品８、電力駆動部品７は図３にのみ示した。また、貯水装置９は、図４にのみ示した。この他、蓄電合流部品８は、さらに整流器及び蓄電池を有する。また、電力駆動部品７は、家電、加工機具、或いは工場設備等である）。
【００１３】
低騒音の取水ユニット５は、吸水部品５１によって水Ａを引き上げた後、回転体１３上方から水Ａを受水槽１５中に入れるとともに、水Ａの重量を利用して回転体１３を駆動させて回転させる。同時に、阻水パット１５ｂが貼接した阻水フレーム２ａが水Ａの飛散を防止することにより、受水槽１５が収容する重量を維持するとともに、水Ａの貯蔵量が保たれ、且つ電力を生じる部品が水Ａの飛散によって浸食されないように防護することができる。以上の構造により、電力を生じる部品の安全性及び耐用年数を具体的に上昇させることができる。また、重り体１４は、内部に充填された液体Ｂによって回転時の慣性重量を増すことにより、回転体１３の回転時における安定性を増加させる。回転体１３が回転する時は、まず心軸１１が変速部品３を駆動させて回転させ、さらに変速部品３が発電部品４を駆動させて電力を生じるとともに、発電部品４から生じた電力が取水ユニット５に供給されて回転体１３を持続的に回転させ、且つ余剰電力が電力駆動部品７に転用される（例えば、図３、４を参照）。
【００１４】
水力発電装置１の心軸１１両端には、それぞれ変速部品３が設けられるとともに、変速部品３が発電部品４に伝動する。増設された変速部品３及び発電部品４の双方向組み合わせにより、発電量を上昇させる（例えば、図４を参照）。
【００１５】
また、水力発電装置１上方の貯水装置９は、雨水及び地下水から得た水Ａを貯蔵するとともに、排水口９１から排出された水Ａによって回転体１３と変速部品３と発電部品４とを駆動させる。この時、発電部品４から生じた電力が還元して取水ユニット５を駆動させて水Ａをくみ上げる。取水ユニット５が回転体１３及び発電部品４を駆動させて生じた電力が充分である場合、制御装置９３は、排水弁体９２を駆動させて排水口９１を閉鎖するとともに、取水ユニット５が水Ａを貯水装置９へ還元するように制御する。これにより、貯水装置９を持続的に使用することができる（例えば、図５を参照）。
【００１６】
以上の構造及び動作に基づき、水力発電装置１は、低騒音の取水ユニット５によって水Ａを引き上げて受水槽１５に入れて回転体１３を駆動させ、これと同時に、重り体１４内に充填された液体Ｂの重量が回転体１３の回転慣性を維持する。これにより、液体Ｂが回転体１３の回転における安定性を増加させる。また、回転体１３が回転する時は、まず心軸１１が変速部品３を駆動させて回転させ、さらに変速部品３が発電部品４を駆動させて電力を生じるとともに、発電部品４から生じた電力が取水ユニット５に供給されて回転体１３を持続的に回転させ、且つ余剰電力が電力駆動部品７に転用される。以上が本考案における長所、及び効果である。
【符号の説明】
【００１７】
（従来技術）
１０   発電機
１０１ オイルタンク
１０２ 内燃機
１０３ 発電盤
２０   オイル
（本考案）
Ａ            水
Ｂ            液体
１            水力発電装置
１１   心軸
１３   回転体
１４   重り体
１４１ 重り収容室
１４２ 管体スイッチ
１５   受水槽
１５ａ 阻水板
１５ｂ 阻水パット
１５１ 槽口
２            水槽
２ａ   阻水フレーム
３            変速部品
４            発電部品
５            取水ユニット
５１   吸水部品
５２   出水口
６            外部電源
７            電力駆動部品
８            蓄電合流部品
９            貯水装置
９１   排水口
９２   排水弁体
９３   制御装置
【図１】
0003188431.tif 000003
【図２】
0003188431.tif 000004
【図３】
0003188431.tif 000005
【図４】
0003188431.tif 000006
【図５】
0003188431.tif 000007